(57)【要約】【課題】部品点数を削減できて省スペース化に寄与するようにしたラビリンスシールを持つ電動機を提供する。【解決手段】軸方向のうち電動機ケース１の内側に向かう方向を内方として、軸受３ａ，３ｂの外輪３１の軸方向内方の端面に当接する軸受押え２ａ，６ｂと回転軸４に固定される油切り部材とを有し、軸受押えの軸方向内方の端面に、径方向に凹凸を繰り返す第１の凹凸部ＬＳａを形成し、油切り部材に、第１の凹凸部に非接触で噛み合う第２の凹凸部ＬＳｂを形成して、第１及び第２の両凹凸部により軸受の潤滑に用いられる潤滑剤の軸方向内方への侵入を防止するラビリンスシールＬＳ１，ＬＳ２を構成する。油切り部材としてシール以外の用途を持ち且つ回転軸に固定される電動機の機能部品ＣＦ，８１を兼用し、この機能部品に第２の凹凸部を形成する。【選択図】図１
2016103871.tif 000002
【特許請求の範囲】
【請求項１】
電動機ケースと、この電動機ケース内に軸受を介して軸支される回転軸と、この回転軸に固定される回転子と、回転子を囲うように電動機ケース内に固定される固定子とを備える電動機であって、
軸方向のうち電動機ケースの内側に向かう方向を内方として、軸受の外輪の軸方向内方の端面に当接する軸受押えと回転軸に固定される油切り部材とを更に有し、軸受押えの軸方向内方の端面に、径方向に凹凸を繰り返す第１の凹凸部を形成し、油切り部材に、第１の凹凸部に非接触で噛み合う第２の凹凸部を形成して、第１及び第２の両凹凸部により軸受の潤滑に用いられる潤滑剤の軸方向内方への侵入を防止するラビリンスシールを構成するものにおいて、
油切り部材としてシール以外の用途を持ち且つ回転軸に固定される電動機の機能部品を兼用し、この機能部品に第２の凹凸部を形成することを特徴とする電動機。
【請求項２】
前記機能部品は冷却ファンであることを特徴とする請求項１記載の電動機。
【請求項３】
請求項１記載の電動機であって、回転子が電磁鋼板を積層して構成され、軸方向両側から挟む一対の回転子押えを介して回転軸に固定されるものにおいて、前記機能部品は、回転子押えであることを特徴とする電動機。
【発明の詳細な説明】
【技術分野】
【０００１】
本発明は、電動機ケースと、この電動機ケース内に軸受を介して軸支される回転軸と、この回転軸に固定される回転子と、回転子を囲うように電動機ケース内に固定される固定子とを備える電動機に関する。
【背景技術】
【０００２】
この種の電動機として所謂全閉内扇形のものが例えば特許文献１で知られている。このものでは、電動機ケース内を閉塞するブラケットに、回転子を挟んで対峙する一対の軸受を介して回転軸が軸支されている。軸方向のうち電動機ケースの内側に向かう方向を内方として、軸方向一方のブラケットは、軸受の外輪の軸方向内方の端面に当接する軸受押えを兼用する。他方、軸方向他方の軸受の外輪の軸方向内方の端面には軸受押えが当接し、軸受押えが軸方向他方のブラケットに固定されている。
【０００３】
ここで、軸受にはグリス等の潤滑剤が用いられるが、電動機の運転時に潤滑剤が電動機ケース内側に侵入しないようにする必要がある。上記特許文献１のものでは、軸受押えの軸方向内方の端面に径方向に凹凸を繰り返す第１の凹凸部を形成すると共に、回転軸に油切り部材を固定してその油切り部材の軸方向外方の端面に第２の凹凸部を形成し、電動機の組付時、第１の凹凸部と第２の凹凸部とを非接触で噛み合わせてラビリンスシールを構成するようにしている。然し、ラビリンスシールを構成するために別個の部品を設けるのでは、部品点数が増加するだけでなく、電動機ケース内でその設置スペースが必要となるという問題がある。
【先行技術文献】
【特許文献】
【０００４】
【特許文献１】特開２０１４−１７１３１５号公報
【発明の概要】
【発明が解決しようとする課題】
【０００５】
本発明は、以上の点に鑑み、部品点数を削減できて省スペース化に寄与するようにした電動機を提供することをその目的とするものである。
【課題を解決するための手段】
【０００６】
上記の課題を解決するために、電動機ケースと、この電動機ケース内に軸受を介して軸支される回転軸と、この回転軸に固定される回転子と、回転子を囲うように電動機ケース内に固定される固定子とを備える本発明の電動機は、軸方向のうち電動機ケースの内側に向かう方向を内方として、軸受の外輪の軸方向内方の端面に当接する軸受押えと回転軸に固定される油切り部材とを更に有し、軸受押えの軸方向内方の端面に、径方向に凹凸を繰り返す第１の凹凸部を形成し、油切り部材に、第１の凹凸部に非接触で噛み合う第２の凹凸部を形成して、第１及び第２の両凹凸部により軸受の潤滑に用いられる潤滑剤の軸方向内方への侵入を防止するラビリンスシールを構成し、油切り部材としてシール以外の用途を持ち且つ回転軸に固定される電動機の機能部品を兼用し、この機能部品に第２の凹凸部を形成することを特徴とする。
【０００７】
本発明によれば、油切り部材としてシール以外の用途を持ち且つ回転軸に固定される電動機の機能部品を兼用したため、別個の部品を省略でき、その上、電動機の小型化を図ることができる。
【０００８】
なお、本発明において、機能部品は冷却ファンとすることができ、また、回転子が電磁鋼板を積層して構成され、軸方向両側から挟む一対の回転子押えを介して回転軸に固定されるような場合には、機能部品は回転子押えとすることができる。
【図面の簡単な説明】
【０００９】
【図１】本発明の実施形態の電動機の構成を説明する断面図。
【発明を実施するための形態】
【００１０】
以下、図面を参照して、部品点数を削減できて省スペース化に寄与するようにしたラビリンスシールを持つ本発明の電動機について所謂全閉内扇形のものを例にその実施形態を説明する。以下において、軸方向のうち電動機ケースの内側に向かう方向を内方として、図１を基準に「上」、「下」、「左」、「右」といった方向を示す用語を用いるものとする。
【００１１】
図１を参照して、ＥＭは本発明の実施形態の電動機である。電動機ＥＭは、電動機ケース１を備え、電動機ケース１の左右には、電動機ケース１内を閉塞するブラケット２ａ，２ｂが夫々連結されている。両ブラケット２ａ，２ｂには一対の軸受３ａ，３ｂを介して回転軸４が軸支されている。この場合、左側のブラケット２ａの下面が、左側の軸受３ａの外輪３１の軸方向内方の端面及び上面に当接し、ブラケット２ａが第１の軸受押えを兼用するようにしている。軸受３ａの外輪の軸方向外方の端面には、回転軸４に固定の第１の油切り部材５ａを介して取り付けられる第２の軸受押え６ａが当接し、軸受３ａが抜け止めされようにしている。
【００１２】
右側の軸受３ｂの外輪３１の軸方向内方の端面及び上面には、右側のブラケット２ｂに固定される第３の軸受押え６ｂが当接している。また、軸受３ｂの外輪の軸方向外方の端面には、回転軸４に固定の第２の油切り部材５ｂを介して取り付けられる第４の軸受押え６ｃが当接し、上記同様、軸受３ｂが抜け止めされるようにしている。また、左側のブラケット２ａ及び第２〜第４の各軸受押え６ａ，６ｂ，６ｃには、両軸受３ａ，３ｂを臨むようにグリス等の潤滑剤ＬＯを収納する収納部７が夫々形成されている。
【００１３】
電動機ケース１内には回転軸４に固定される回転子８が備えられ、回転子８を囲うように電動機ケース１内には固定子９が固定されている。この場合、回転子８は、複数枚の電磁鋼板を積層して構成され、これら電磁鋼板を軸方向両側から挟む一対の回転子押え８１，８２を回転軸４にすきま嵌め固定されている。また、電動機ケース１内には、左側の回転子押え８１の外方に位置させて回転軸４に固定されるファンＣＦが外挿されている。
【００１４】
ところで、電動機ＥＭの運転時、潤滑剤ＬＯが電動機ケース１内側に侵入しないようにする必要があり、その際、部品点数を削減できて省スペース化に寄与するように構成することが好ましい。本実施形態では、第１の軸受押えを兼用する左側のブラケット２ａの軸方向内方の端面に、径方向に凹凸を繰り返す第１の凹凸部ＬＳａを形成すると共に、油切り部材としてシール以外の用途を持ち且つ回転軸に固定される電動機の機能部品であるファンＣＦに、第１の凹凸部ＬＳａに非接触で噛み合う、径方向に凹凸を繰り返す第２の凹凸部ＬＳｂを形成した。他方、第３の軸受押え６ｂの軸方向内方の端面に、径方向に凹凸を繰り返す第３の凹凸部ＬＳｃを形成すると共に、油切り部材としてシール以外の用途を持ち且つ回転軸に固定される電動機の機能部品である右側の回転子押え８２に、第１の凹凸部ＬＳｃに非接触で噛み合う、径方向に凹凸を繰り返す第２の凹凸部ＬＳｄを形成した。そして、電動機ＥＭの組付時、第１の凹凸部ＬＳａ，ＬＳｃと第２の凹凸部ＬＳｂ，ＬＳｄとを非接触で噛み合わせてラビリンスシールＬＳ１，ＬＳ２を構成するようにして軸受３ａ，３ｂの潤滑に用いられる潤滑剤ＬＯの軸方向内方への侵入を防止している。
【００１５】
以上の実施形態によれば、油切り部材としてシール以外の用途を持ち且つ回転軸に固定される電動機の機能部品を兼用したため、別個の部品を省略でき、その上、電動機ＥＭの小型化を図ることができる。なお、本実施形態では、詳細な説明は省略するが、潤滑剤ＬＯの軸方向外方への排出を防止するため、上記同様に、ラビリンスシールを設けている。
【００１６】
以上、本発明の実施形態について説明したが、本発明は上記のものに限定されるものではない。上記実施形態では、ファンＣＦを設け、このファンＣＦに第２の凹凸部ＬＳｂを設けるものを例に説明したが、ファンＣＦは省略することができ、このような場合には、油切り部材としてシール以外の用途を持ち且つ回転軸に固定される電動機の機能部品、例えば、左側の回転子押え８１に第２の凹凸部ＬＳｂを形成すればよい。更に、上記実施形態では、所謂全閉内扇形のものを例に説明したが、これに限定されるものではなく、本発明は、他の形式の電動機にも広く適用できる。
【符号の説明】
【００１７】
ＥＭ…電動機、１…電動機ケース、２ａ…ブラケット（軸受押えを兼用）、３ａ,３ｂ…軸受、４…回転軸、６ａ〜６ｃ…軸受押え、８…回転子、８１，８２…回転子押え（機能部品）、９…固定子、ＣＦ…ファン（機能部品）、ＬＳ１，ＬＳ２…ラビリンスシール、ＬＳａ〜ＬＳｄ…径方向の凹凸部。
【図１】
2016103871.tif 000003